(57)【要約】【課  題】従来の身と蓋が１枚の紙からなる２ヒンジワンピース箱では背サイド壁がなく内容物保護性が悪かったり、蓋閉め後も蓋両サイド壁端は固定されておらず、外観上も、容器としての密閉性も悪く、蓋付き箱としての機能に問題があるなどした。【解決手段】身サイド壁、蓋壁、背サイド壁に三方を囲まれる背サイド壁において、直角２等辺三角形△ｄｂｅで、折れ筋である辺ｂｅは辺ａｂの二分の一以下で、カット線ｅｆは使用する紙厚みの２倍から１０倍の長さにすると上記課題を解決する事が出来、更にカット辺ａｆ上に端点を有し、点ｃとを結ぶ折れ筋を１ないし２本有すると、身蓋をひねっても嵌合を良くする。【選択図】図５
2005008184.tif 000002
【特許請求の範囲】
【請求項１】
身サイド壁、蓋サイド壁及び背壁に三方を囲まれる折り畳み部において、背壁高さ（幅）となる折り筋ｂｃを基本長さとし、それに等しい長さの折り筋ａｃとで構成される直角２等辺三角形△ａｂｃ、折れ筋ｃｆはこの直角２等辺三角形△ａｂｃの垂線、この三角形の底辺ａｂにおいて、辺ａｅはカット線、辺ｅｂは折り筋であり、この折り筋ｂｅと同じ長さのカット線ｄｅ、底辺が折り筋である辺ｄｂとで構成される２等辺三角形△ｄｅｂで、折り筋ｂｅの長さが２等辺三角形△ａｂｃの底辺ａｂの長さの２分の１より、紙厚の２倍から１０倍の長さだけ短い事を特徴とする背壁ヒンジ折り構造を有する、身、蓋が１枚の紙からなる２ヒンジワンピース箱における、背サイド壁のヒンジ折り込み構造。
【請求項２】
請求項１において、カット辺ａｆ上に端点を有し、点ｃとを結ぶ折れ筋を１ないし２本有する事を特徴とする背壁ヒンジ折り構造を有する、身、蓋が１枚の紙からなる２ヒンジワンピース箱における、背サイド壁のヒンジ折り込み構造。
【発明の詳細な説明】
【０００１】
【発明の属する技術分野】
本発明は身と蓋が１枚の紙からなる２つのヒンジを持つワンピース箱（以降、「２ヒンジワンピース箱」と呼ぶ）における、背サイド壁（背壁の両サイド）のヒンジ折り込み構造に関する。
【０００２】
【従来の技術】
従来から、身と蓋が１枚の紙からなる２ヒンジワンピース箱がある（例えば、特許文献１、非特許文献１参照）。図１に示すような身箱の中央部の両サイド壁を切り取り、両サイドが切り取られた中央部の身箱の底部分を背壁とし、背壁を中心に折り返すと、図２に示すような、２ヒンジの身、蓋ワンピース箱となる。図３は完全に蓋が閉まった状態を示す。
【０００３】
【特許文献１】
特開２０００−１４２６６９（７頁、第７図）
【非特許文献】
「ストークス・ニュース」、株式会社久保製作所、１９９５年１０月号
１頁のワンピースボックス
【０００４】
【発明が解決しようとする課題】
上に述べた従来の２ヒンジワンピース箱では、蓋を開けたとき背の両サイドに壁がなく、身箱の箱としての機能が不完全である（小さな物の容器には不向き）。又蓋を閉めた状態でも蓋両サイド壁端は固定されておらず外観上も容器としての密閉性も悪い。
【０００５】
本発明は従来の２ヒンジワンピース箱のヒンジ部両サイドの折り構造が有していた問題点を解決しようとするものであり、２ヒンジワンピース箱に於いて背両サイド壁を切り取らずに、折り込んだ背部サイド壁が背壁にぴったりと折り畳まれ、更に蓋閉め時、身箱は確実に蓋の内側に入っていくような、２ヒンジワンピース箱の背サイド壁のヒンジ折り込み構造を実現する事を目的とするものである。
【０００６】
【課題を解決するための手段】
本発明は上記目的を達成するため、身、蓋が１枚の紙からなる２ヒンジワンピース箱において、身サイド壁、蓋サイド壁及び背壁に三方を囲まれる背サイド壁において、直角２等辺三角形△ｄｂｅで、折れ筋である辺ｂｅは直角２等辺三角形△ａｂｃの底辺ａｂの二分の一以下、使用する紙厚味の２倍から１０倍の長さ短い事を特徴とする背壁ヒンジ折り構造としたものである。
【０００７】
また、第２の解決手段は、上記手段のなかで、カット辺ａｆ上に端点を有し、点ｃとを結ぶ折れ筋を１ないし２本有する事を特徴とする背壁ヒンジ折り構造としたものである。
【０００８】
上記第１の課題解決手段による作用は次の通りである。本特許の背壁ヒンジ構造図を示す図５において、８、１１、１３で構成される蓋箱、１０、１２、１４で構成される身箱を背壁９の２本のヒンジ線に沿って折り畳んでいくと、折れ筋ｆｃ及びｂｅが折れていくことで、直角２等辺三角形△ｂｆｃは背壁９側に倒れていく。同時に身サイド壁１２の上端ａ点が蓋サイド壁１１端の内側に入って行き、蓋は完全に身箱を覆うように閉まり、三角形△ｂｆｃは箱内で背壁９に完全密着する。
【０００９】
また、第２の課題解決手段による作用は、上記第１の課題解決手段においても尚、蓋を閉める時、蓋が身に対してよじれた状態で閉められようとすると、身サイド壁１２上端ａ点が蓋サイド壁１１端の内側に入っていかなくなる場合がある。第２の課題解決手段は、この場合でも確実に蓋は身を覆うように閉まる役目をすることができる。
【００１０】
【発明の実施の形態１】
以下、本発明の実施の形態を図４〜図８に基づいて説明する。
【００１１】
図４は本発明により作られる２ヒンジワンピース箱の展開図である。点線は筋押しで、実線はカットを意味し、１枚の厚紙（０．３ｍｍ、３００ｇ／ｍ２）からできている。
【００１２】
折り筋ｂｃとａｃの長さは等しく三角形△ａｃｂは直角２等辺三角形である。この中に、垂線ｆｃとなる折り筋ｆｃを設ける。折り筋ａｃは身壁１２の端部につながっている。三角形△ｄｂｅはカット辺ｄｅと折り筋ｂｅの長さが等しい直角２等辺三角形であり、折り筋ｄｂは蓋壁１１の端部につながっている。
【００１３】
折り筋ｂｅは直角２等辺三角形△ａｂｃの底辺ａｂ上にあり、その長さは辺ａｂの２分の一以下とする。即ち折り筋ｂｅは折り筋ｆｃより短く、その差となるカット辺ｆｅは使用する紙厚みの最低２倍以上、１０倍までになるようにする。
【００１４】
尚、身箱サイズより、蓋箱サイズを紙厚み分だけ大きくしておくと、身、蓋の勘合がきれいになる。又、折れ筋ｂｅ、ｆｃは箱の外側面から筋押しした方が望ましい。
【００１５】
図５は箱状に組みあがった状態を示す。１２と１４、１１と１３の各コーナー止め１５はこの実施例ではテープで行っているが、このコーナー止め方法は本発明とは何ら関係していないので、今後説明しない。
【００１６】
【発明の実施の形態２】
実施の形態１に於いて、点ｃよりカット線の一部ａｆの中点に向けて折れ筋ｃｇをいれた。
【００１７】
以下、上記構成の実施の形態１の動作を説明する。図５，図６、図７、図８は８、１１、１３からなる蓋が閉まるまでの背壁ヒンジ折り構造の変化を示すものである。図５の箱が出来上がったら、二つの三角形△ｆｃｂが箱内側に向かうよう両側から押しながら蓋を閉めていくと、身サイド壁１２端のａ点が自然に蓋サイド壁１２の内側に入り込んで、蓋は身を完全に覆うように閉まる。この作業を一度だけ行えばあとは、通常に蓋を閉めれば、必ず身を蓋が覆うように閉まる。辺ｆｅが紙厚の２倍以上あれば蓋が身の外側に覆うようになり、辺ｆｅが長いほどこの作用は確実になる。ただし、箱の蓋を開けたときの背サイド壁が低くなり容器としての機能は低くなるため、折り筋の入れ方、紙種類などで辺ｆｅの長さは出来るだけ短くて済むようにする。
【００１８】
蓋が完全閉まると、三角形△ｆｃｂは背壁９にぴったりと押しつけられたように両コーナーに収まる。
【００１９】
実施の形態２では蓋閉めじ、身、蓋がよじれた状態で閉められても、蓋は確実に身を覆うように閉まる。
【００２０】
【発明の効果】
上述したように本発明の身、蓋が１枚の紙からなる２ヒンジワンピース箱における、背サイド壁のヒンジ折り込み構造により、背壁両サイドから小さな内容物がこぼれる事なく、蓋閉め時の身、蓋の嵌合は確実に行われ、更に箱内ではヒンジ折り込み部分がコーナーにぴったり収まり、箱内の有効体積を最大にする事が出来る。
【００２１】
【図面の簡単な説明】
【図１】従来方式の２ヒンジワンピース箱の開いた状態の斜視図である
【図２】従来方式の２ヒンジワンピース箱の半閉め状態の斜視図である
【図３】従来方式の２ヒンジワンピース箱の完全閉め状態の斜視図である
【図４】本発明実施例１における２ヒンジワンピース箱の展開図である
【図５】本発明実施例における２ヒンジワンピース箱の蓋閉め前の斜視図である
【図６】本発明実施例１における２ヒンジワンピース箱の蓋１／３閉め状態の斜視図である
【図７】本発明実施例１における２ヒンジワンピース箱の蓋半閉め状態の斜視図である
【図８】本発明実施例２における２ヒンジワンピース箱の展開図である
【図９】本発明実施例２における２ヒンジワンピース箱の蓋閉め前の斜視図である
【図１０】本発明実施例２における２ヒンジワンピース箱の蓋１／３閉め状態の斜視図である
【図１１】本発明実施例２における２ヒンジワンピース箱の蓋半閉め状態の斜視図である
【図１２】本実施例１及び２における２ヒンジワンピース箱の完全蓋閉め状態の斜視図である
【符号の説明】
８      蓋天
９      背壁
【図１】
2005008184.tif 000003
【図２】
2005008184.tif 000004
【図３】
2005008184.tif 000005
【図４】
2005008184.tif 000006
【図５】
2005008184.tif 000007
【図６】
2005008184.tif 000008
【図７】
2005008184.tif 000009
【図８】
2005008184.tif 000010
【図９】
2005008184.tif 000011
【図１０】
2005008184.tif 000012
【図１１】
2005008184.tif 000013
【図１２】
2005008184.tif 000014